【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
透光部を含み、液状の光硬化性樹脂を保持する容器と、
複数の画素を含み、第１の光源からの光を前記画素ごとに変調する光変調素子と、
前記光変調素子からの変調光を、前記透光部を通して前記光硬化性樹脂に照射する第１の光学ユニットと、
第２の光源からの光を偏向する走査部材を含み、該走査部材からの走査光を前記透光部を通して前記光硬化性樹脂に照射する第２の光学ユニットと、
三次元形状データから生成された複数の二次元形状データのそれぞれに基づいて前記光変調素子および前記走査部材を制御する制御部と、
前記光硬化性樹脂のうち硬化した硬化部を前記透光部から離れる方向へ移動させる移動部材とを有し、
前記第１及び第２の光学ユニットは、共用の光学部材を含まず、
前記制御部は、前記光硬化性樹脂のうち第１の樹脂領域に前記変調光を照射するとともに第２の樹脂領域に前記走査光を照射することで前記硬化部を形成するように前記光変調素子および前記走査部材を制御することを特徴とする光造形装置。
【請求項２】
前記制御部は、前記三次元形状データに基づいて、前記第１および第２の樹脂領域を設定することを特徴とする請求項１に記載の光造形装置。
【請求項３】
前記第２の光学ユニットによる第２の照射可能領域の少なくとも一部が前記第１の光学ユニットによる第１の照射可能領域と異なることを特徴とする請求項１又は２に記載の光造形装置。
【請求項４】
前記第１及び第２の照射可能領域の中心位置は互いに異なることを特徴とする請求項３に記載の光造形装置。
【請求項５】
前記第２の樹脂領域は、前記第１の樹脂領域に接するか、あるいは少なくとも一部が重なることを特徴とする請求項３又は４に記載の光造形装置。
【請求項６】
前記第２の樹脂領域は、前記第１の樹脂領域のエッジに沿った領域であることを特徴とする請求項１乃至５の何れか一項に記載の光造形装置。
【請求項７】
前記第２の光学ユニットは、前記第１の光学ユニットから前記光硬化性樹脂までの前記変調光の照射光路に対して傾いた方向から前記走査光を前記光硬化性樹脂に照射することを特徴とする請求項１乃至６の何れか一項に記載の光造形装置。
【請求項８】
前記第２の光学ユニットは、前記走査光を前記光硬化性樹脂における互いに異なる位置に集光させる調整手段を含むことを特徴とする請求項１乃至７の何れか一項に記載の光造形装置。
【請求項９】
一つの前記第１の光学ユニットに対して複数の前記第２の光学ユニットを有することを特徴とする請求項１乃至８の何れか一項に記載の光造形装置。
【請求項１０】
前記光硬化性樹脂において複数の前記第２の樹脂領域がある場合に、
前記制御部は、前記複数の第２の樹脂領域のそれぞれに対して前記複数の第２の光学ユニットのうちいずれからの前記走査光を照射するかを判定することを特徴とする請求項９に記載の光造形装置。
【請求項１１】
前記第２の光源は、前記第１の光源とは異なる波長の光を発することを特徴とする請求項１乃至１０の何れか一項に記載の光造形装置。
【請求項１２】
前記第２の光源は、前記第１の光源より短い波長の光を発することを特徴とする請求項１１に記載の光造形装置。
【請求項１３】
前記光硬化性樹脂に対する前記走査光の照射面積が、前記変調光の照射面積よりも小さいことを特徴とする請求項１乃至１２の何れか一項に記載の光造形装置。
【請求項１４】
透光部を含む容器により液状の光硬化性樹脂を保持し、
複数の画素を含み第１の光源からの光を前記画素ごとに変調する光変調素子および第２の光源からの光を偏向する走査部材を、三次元形状データから生成された複数の二次元形状データのそれぞれに基づいて制御することで、前記光変調素子からの変調光および前記走査部材からの走査光を前記透光部を通して前記光硬化性樹脂に照射し、
前記光硬化性樹脂のうち硬化した硬化部を前記透光部から離れる方向へ移動させることで三次元物体を製造する光造形方法であって、
前記光硬化性樹脂のうち第１の樹脂領域に前記変調光を照射するとともに第２の樹脂領域に前記走査光を照射することで前記硬化部を形成するように前記光変調素子および前記走査部材を制御することを特徴とする光造形方法。
【請求項１５】
透光部を含み、液状の光硬化性樹脂を保持する容器と、複数の画素含み、光源からの光を前記画素ごとに変調する光変調素子と、該光変調素子からの変調光を前記透光部を通して前記光硬化性樹脂に照射する第１の光学ユニットと、第２の光源からの光を偏向する走査部材を含み、該走査部材からの走査光を前記透光部を通して前記光硬化性樹脂に照射する第２の光学ユニットとを有する光造形装置のコンピュータに、
前記光変調素子および前記走査部材を三次元形状データから生成された複数の二次元形状データのそれぞれに基づいて制御させ、前記光硬化性樹脂のうち前記変調光を受けて硬化した硬化部を前記透光部から離れる方向に移動させる処理を行わせ、
さらに前記コンピュータに、前記光硬化性樹脂のうち第１の樹脂領域に前記変調光を照射するとともに第２の樹脂領域に前記走査光を照射することで前記硬化部を形成するように前記光変調素子および前記走査部材を制御させることを特徴とする光造形プログラム。
【手続補正２】
【補正対象書類名】明細書
【補正対象項目名】発明の名称
【補正方法】変更
【補正の内容】
【発明の名称】光造形装置、光造形方法および光造形プログラム
【手続補正３】
【補正対象書類名】明細書
【補正対象項目名】０００７
【補正方法】変更
【補正の内容】
【０００７】
本発明は、光変調素子からの変調光を光硬化性樹脂に一括照射するとともに、より高い分解能で三次元造形を行うことができるようにした光造形装置等を提供する。
【手続補正４】
【補正対象書類名】明細書
【補正対象項目名】０００８
【補正方法】変更
【補正の内容】
【０００８】
本発明の一側面としての光造形装置は、透光部を含み、液状の光硬化性樹脂を保持する容器と、複数の画素を含み、第１の光源からの光を画素ごとに変調する光変調素子と、該光変調素子からの変調光を、透光部を通して光硬化性樹脂に照射する第１の光学ユニットと、第２の光源からの光を偏向する走査部材を含み、該走査部材からの走査光を透光部を通して光硬化性樹脂に照射する第２の光学ユニットと、三次元形状データから生成された複数の二次元形状データのそれぞれに基づいて光変調素子および走査部材を制御する制御部と、光硬化性樹脂のうち硬化した硬化部を透光部から離れる方向へ移動させる移動部材とを有する。そして、第１及び第２の光学ユニットは、共用の光学部材を含まず、制御部は、光硬化性樹脂のうち第１の樹脂領域に変調光を照射するとともに第２の樹脂領域に走査光を照射することで硬化部を形成するように光変調素子および走査部材を制御することを特徴とする。
【手続補正５】
【補正対象書類名】明細書
【補正対象項目名】０００９
【補正方法】変更
【補正の内容】
【０００９】
また、本発明の一側面としての光造形方法は、透光部を含む容器により液状の光硬化性樹脂を保持し、複数の画素を含み第１の光源からの光を画素ごとに変調する光変調素子および第２の光源からの光を偏向する走査部材を、三次元形状データから生成された複数の二次元形状データのそれぞれに基づいて制御することで、光変調素子からの変調光および走査部材からの走査光を透光部を通して光硬化性樹脂に照射し、光硬化性樹脂のうち硬化した硬化部を透光部から離れる方向へ移動させることで三次元物体を製造する方法である。該製造方法は、光硬化性樹脂のうち第１の樹脂領域に変調光を照射するとともに第２の樹脂領域に走査光を照射することで硬化部を形成するように光変調素子および走査部材を制御することを特徴とする。
【手続補正６】
【補正対象書類名】明細書
【補正対象項目名】００１０
【補正方法】変更
【補正の内容】
【００１０】
なお、上記光造形装置のコンピュータに上記光造形方法に従う光造形プロセスを実行させるコンピュータプログラムとしての光造形プログラムも、本発明の他の側面を構成する。